(57)【要約】【課題】引戸をスライドさせるためのレールが目立つことを確実に防ぎ、周囲の外観性を向上させることが可能なキャビネットおよびキャビネットの取付構造を提供することを目的とする。【解決手段】本体ボックス２０の正面開口部２０ａの開口面積の約半分の面積を閉塞可能な引戸装置３０を備えるものであり、引戸装置３０は、引戸本体３３の前面部３３ａに本体ボックス２０の正面側端面よりも前方に位置するようにして取り付けられるとともに、引戸本体３３よりも幅方向および高さ方向に広くなるように形成される化粧板材３４とを有するキャビネット１０。また、このようなキャビネット１０を壁面１に取り付けてなるキャビネット１０の取付構造。これにより、化粧板材を本体ボックスの正面側端面よりも前方に取り付けた状態で、引戸本体をスライドさせて、本体ボックスの正面開口部を開閉できる。【選択図】図１
2010264176.tif 000002
【特許請求の範囲】
【請求項１】
天板と、地板と、これら天板と地板の両側端部間に設けられる側板と、これら天板と地板と両側板の背面側に設けられる背板とからなり、正面部が前方に向かって開口する本体ボックスと、
この本体ボックスの正面部に左右にスライド可能に設けられるとともに、正面開口部の開口面積の約半分の面積を閉塞可能な引戸装置とを備えており、
前記引戸装置は、前記天板の下面の正面部側端部に、該天板の長さ方向に沿って設けられる上レールと、
前記地板の上面の正面部側端部に、該地板の長さ方向に沿って設けられる下レールと、
これら上レールと下レールとの間に、該上レールおよび下レールの長さ方向に沿ってスライドする引戸本体と、
この引戸本体の前面部に前記本体ボックスの正面側端面よりも前方に位置するようにして取り付けられるとともに、この引戸本体よりも幅方向および高さ方向に広くなるように形成される化粧板材とを有することを特徴とするキャビネット。
【請求項２】
請求項１に記載のキャビネットにおいて、
前記引戸本体は、この引戸本体の前面部が前記本体ボックスの正面側端面よりも前方に突出するようにして形成されていることを特徴とするキャビネット。
【請求項３】
請求項１または２に記載のキャビネットにおいて、
前記本体ボックスは、この本体ボックス内部の略中央に位置し、かつ前記両側板と対向するようにして設けられる中仕切り板を備えており、
この中仕切り板の正面側端面は、前記上下のレールに沿ってスライドする引戸本体の背面部の通過位置よりも若干本体ボックス内部側に位置していることを特徴とするキャビネット。
【請求項４】
請求項３に記載のキャビネットにおいて、
前記引戸本体の幅方向の長さが、一方の前記側板の内側面から、前記中仕切り板の、該一方の側板の内側面と対向する側面とは反対の側面までの長さと略等しくなるように設定されていることを特徴とするキャビネット。
【請求項５】
請求項１〜４のいずれか一項に記載のキャビネットを壁面に取り付けてなるキャビネットの取付構造であって、
前記本体ボックスの背面側に、前記壁面に取り付けられた係止部材に係止する固定部材が取り付けられており、
前記本体ボックスが、前記固定部材を前記係止部材に係止するようにして、前記壁面に取り付けられていることを特徴とするキャビネットの取付構造。
【発明の詳細な説明】
【技術分野】
【０００１】
本発明は、アウトセット式の引戸を備えるキャビネットと、このキャビネットを壁面に取り付けてなるキャビネットの取付構造に関する。
【背景技術】
【０００２】
従来、キャビネット等の家具において、上吊り式の引戸が開閉の容易性から数多く使用されている。この種の上吊り式引戸としては、一般に、キャビネットの天板や地板、側板の前面部分よりもキャビネットの内側に設けられるインセット型の引戸が使用されている。しかし、このようなインセット型の引戸の場合、上述のように、引戸自体がキャビネットの内側に入るため、天板や地板、側板の前面部分が引戸の周囲に目立つように露出することになる。
そこで、このようにキャビネットの天板や地板、側板の前面部分が引戸の周囲に目立つように露出することを防ぐために、特許文献１に記載のようなアウトセット式の引戸が提案されている。
【先行技術文献】
【特許文献】
【０００３】
【特許文献１】２００２−２４２５１６号公報
【発明の概要】
【発明が解決しようとする課題】
【０００４】
ところが、特許文献１に記載のようなアウトセット式の引戸は、上レールがキャビネットの天板の上面に突出して取り付けられているため、引戸が天板を覆う大きさに形成されている場合であっても、引戸をスライドさせてキャビネットの開口部を開放する時に、上レールがキャビネットの正面に露出してしまうという問題があった。
【０００５】
本発明の課題は、引戸をスライドさせるためのレールが目立つことを確実に防ぎ、周囲の外観性を向上させることが可能なキャビネットおよびキャビネットの取付構造を提供することを目的とする。
【課題を解決するための手段】
【０００６】
請求項１に記載の発明は、キャビネット１０であって、例えば図１〜図６に示すように、天板２１と、地板２２と、これら天板２１と地板２２の両側端部間に設けられる側板２３，２３と、これら天板２１と地板２２と両側板２３，２３の背面側に設けられる背板２４とからなり、正面部が前方に向かって開口する本体ボックス２０と、
この本体ボックス２０の正面部に左右にスライド可能に設けられるとともに、正面開口部２０ａの開口面積の約半分の面積を閉塞可能な引戸装置３０とを備えており、
前記引戸装置３０は、前記天板２１の下面の正面部側端部に、該天板２１の長さ方向に沿って設けられる上レール３１と、
前記地板２２の上面の正面部側端部に、該地板２２の長さ方向に沿って設けられる下レール３２と、
これら上レール３１と下レール３２との間に、該上レール３１および下レール３２の長さ方向に沿ってスライドする引戸本体３３と、
この引戸本体３３の前面部３３ａに前記本体ボックス２０の正面側端面よりも前方に位置するようにして取り付けられるとともに、この引戸本体３３よりも幅方向および高さ方向に広くなるように形成される化粧板材３４とを有することを特徴とする。
【０００７】
請求項１に記載の発明によれば、前記引戸装置３０は、前記上レール３１および下レール３２の長さ方向に沿ってスライドする引戸本体３３と、この引戸本体３３の前面部に前記本体ボックス２０の正面側端面よりも前方に位置するようにして取り付けられるとともに、この引戸本体３３よりも幅方向および高さ方向に広くなるように形成される化粧板材３４とを有するので、この化粧板材３４を前記本体ボックス２０の正面側端面よりも前方に取り付けた状態で、前記引戸本体３３をスライドさせて、前記本体ボックス２０の正面開口部２０ａを開閉することができる。
これによって、従来に比して、前記引戸本体３３をスライドさせるための上下レール３１，３２が目立つことを確実に防ぐことができるので、前記引戸装置３０の周囲の外観性を向上させることが可能となる。
【０００８】
請求項２に記載の発明は、例えば図２，図５，図６に示すように、請求項１に記載のキャビネット１０において、
前記引戸本体３３は、この引戸本体３３の前面部３３ａが前記本体ボックス２０の正面側端面よりも前方に突出するようにして形成されていることを特徴とする。
【０００９】
請求項２に記載の発明によれば、前記引戸本体３３は、この引戸本体３３の前面部３３ａが前記本体ボックス２０の正面側端面よりも前方に突出するようにして形成されているので、この引戸本体３３の前面部３３ａに取り付けられる化粧板材３４を、前記本体ボックス２０の正面側端面よりも前方に位置するようにして確実に取り付けることができる。したがって、この化粧板材３４を、前記引戸本体３３よりも幅方向および高さ方向に広くなるように形成できるだけでなく、延いては、前記本体ボックス２０の正面側端面よりも幅方向および高さ方向に広くなるように形成することも可能となるので、所有者の要望に応じて、前記化粧板材３４を任意の大きさに設定することができる。
【００１０】
請求項３に記載の発明は、例えば図２および図３に示すように、請求項１または２に記載のキャビネット１０において、
前記本体ボックス２０は、この本体ボックス２０内部の略中央に位置し、かつ前記両側板２３，２３と対向するようにして設けられる中仕切り板２５を備えており、
この中仕切り板２５の正面側端面２５ａは、前記上下のレール３１，３２に沿ってスライドする引戸本体３３の背面部３３ｂの通過位置よりも若干本体ボックス２０内部側に位置していることを特徴とする。
【００１１】
請求項３に記載の発明によれば、前記本体ボックス２０は、この本体ボックス２０内部の略中央に位置し、かつ前記両側板２３，２３と対向するようにして設けられる中仕切り板２５を備えているので、この中仕切り板２５によって前記本体ボックス２０内部を左右に仕切ることができる。
また、前記中仕切り板２５の正面側端面２５ａは、前記上下のレール３１，３２に沿ってスライドする引戸本体３３の背面部３３ｂの通過位置よりも若干本体ボックス２０内部側に位置しているので、前記中仕切り板２５によって前記引戸本体３３の移動を妨げることを確実に防ぐことができる。
【００１２】
請求項４に記載の発明は、例えば図２に示すように、請求項３に記載のキャビネット１０において、
前記引戸本体３３の幅方向の長さが、一方の前記側板２３の内側面から、前記中仕切り板２５の、該一方の側板２３の内側面と対向する側面とは反対の側面までの長さと略等しくなるように設定されていることを特徴とする。
【００１３】
請求項４に記載の発明によれば、前記引戸本体３３の幅方向の長さが、一方の前記側板２３の内側面から、前記中仕切り板２５の、該一方の側板２３の内側面と対向する側面とは反対の側面までの長さと略等しくなるように設定されているので、前記引戸本体３３を、この引戸本体３３の一方の側端部が前記一方の側板２３の内側面に近接する位置まで移動させた際に、前記引戸本体３３の他方の側端部は、前記中仕切り板２５の、一方の側板２３の内側面と対向する側面とは反対の側面に近接する位置に配置されることになる。
すなわち、例えば、前記引戸本体３３の幅方向の長さが、前記一方の側板２３の内側面から、前記中仕切り板２５の、該一方の側板２３の内側面と対向する側面までの長さよりも短い場合は、前記引戸本体３３をスライドさせて、前記本体ボックス２０の一方の端部まで移動させた際に、前記引戸本体３３の他方の側端部と前記中仕切り板２５の正面側端面２５ａとの間に、前記引戸本体３３および化粧板材３４によって閉塞された本体ボックス２０内部が見えてしまうような隙間が形成されてしまうことになる。このため、前記引戸本体３３の幅方向の長さを、一方の前記側板２３の内側面から、前記中仕切り板２５の、該一方の側板２３の内側面と対向する側面とは反対の側面までの長さと略等しくなるように設定しておくことによって、前記引戸本体３３をスライドさせて、前記本体ボックス２０の一方の端部まで移動させた際に、前記引戸本体３３の他方の側端部と前記中仕切り板２５とが重なり合うことになるので、前記引戸本体３３および化粧板材３４によって閉塞された本体ボックス２０の内部を、引戸本体３３の背面部３３ｂと中仕切り板２５との間の隙間から見えてしまうことを確実に防ぐことができる。
【００１４】
請求項５に記載の発明は、例えば図２および図６に示すように、請求項１〜４のいずれか一項に記載のキャビネット１０を壁面１に取り付けてなるキャビネット１０の取付構造であって、
前記本体ボックス２０の背面側に、前記壁面１に取り付けられた係止部材２に係止する固定部材２６が取り付けられており、
前記本体ボックス２０が、前記固定部材２６を前記係止部材２に係止するようにして、前記壁面１に取り付けられていることを特徴とする。
【００１５】
請求項５に記載の発明によれば、前記本体ボックス２０の背面側に、前記壁面１に取り付けられた係止部材２に係止する固定部材２６が取り付けられており、前記本体ボックス２０が、前記固定部材２６を前記係止部材２に係止するようにして、前記壁面１に取り付けられているので、前記本体ボックス２０を前記壁面１に確実に取り付けることができ、延いてはキャビネット１０を確実に壁面１に取り付けることができる。
また、このように前記引戸装置３０の周囲の外観性を向上させることが可能なキャビネット１０を前記壁面１に取り付けできるので、延いては前記壁面１の周囲の外観性を向上させることも可能となる。
さらに、前記キャビネット１０の壁面１への取付作業は、前記固定部材２６を前記係止部材２に係止するようにして行うだけで済むので、容易となる。
【発明の効果】
【００１６】
本発明によれば、本体ボックスの正面部に左右にスライド可能に設けられるとともに、この本体ボックスの正面開口部の開口面積の約半分の面積を閉塞可能な引戸装置は、上レールおよび下レールの長さ方向に沿ってスライドする引戸本体と、この引戸本体の前面部に本体ボックスの正面側端面よりも前方に位置するようにして取り付けられるとともに、この引戸本体よりも幅方向および高さ方向に広くなるように形成される化粧板材とを有するので、この化粧板材を本体ボックスの正面側端面よりも前方に取り付けた状態で、引戸本体をスライドさせて、本体ボックスの正面開口部を開閉することができる。
これによって、従来に比して、引戸本体をスライドさせるための上下レールが目立つことを確実に防ぐことができるので、引戸装置の周囲の外観性を向上させることが可能となる。
【図面の簡単な説明】
【００１７】
【図１】本発明のキャビネットを示す斜視図である。
【図２】図１に示すキャビネットの平断面図である。
【図３】図１に示すキャビネットの概略正面図である。
【図４】図３に示すキャビネットの右側端部を示す拡大図である。
【図５】図３に示すキャビネットの側断面拡大図である。
【図６】本発明のキャビネットの取付構造を示す概略断面図である。
【発明を実施するための形態】
【００１８】
以下、図面を参照して本発明の実施の形態について説明する。
図１は本発明に係るキャビネットの一例を示す斜視図である。
図１において符号１０は、キャビネットを示す。このキャビネット１０は、天板２１と、地板２２と、これら天板２１と地板２２の両側端部間に設けられる側板２３，２３と、これら天板２１と地板２２と両側板２３，２３の背面側に設けられる背板２４とからなり、正面部が前方に向かって開口する本体ボックス２０と、この本体ボックス２０の正面部に左右にスライド可能に設けられるとともに、正面開口部２０ａの開口面積の約半分の面積を閉塞可能な引戸装置３０とを備えている。
なお、この引戸装置３０は、このように前記本体ボックス２０の正面開口部２０ａの開口面積の約半分の面積を閉塞可能なものであるから、前記正面開口部２０ａは、常に約半分が前記引戸装置３０によって閉塞され、もう約半分が開放された状態となる。
【００１９】
前記本体ボックス２０は、図１〜図３に示すように、幅方向に長尺になるように形成されている。すなわち、前記天板２１および地板２２の長さが長くなるように形成されており、前記引戸装置３０の２倍に近い程度の長さに設定されている。
また、前記天板２１と地板２２と側板２３，２３の奥行き方向の長さは略等しくなるように設定されている。したがって、これら天板２１と地板２２と側板２３，２３とで構成される本体ボックス２０の正面側端面および背面側端面は段差のない面一の状態となっている。
【００２０】
また、この本体ボックス２０は、この本体ボックス２０内部の略中央に位置し、かつ前記両側板２３，２３と対向するようにして設けられる中仕切り板２５を備えている。
また、前記背板２４は、例えば本体ボックス２０の略中央に前記中仕切り板２５が設けられることによって、前記両側板２３，２３それぞれと前記中仕切り板２５との間に２枚設けられることになる。
さらに、本実施の形態の背板２４，２４として、前記天板２１や地板２２、側板２３，２３に比して厚みの薄い板材を使用する場合は、これら背板２４，２４を確実に取り付けるため、前記天板２１、地板２２、側板２３，２３、中仕切り板２５には、図２および図６に示すように、前記背板２４，２４の周縁部が嵌め込まれる溝２１ｂ，２２ｂ，２３ａ，２５ｂがそれぞれ形成されている。
すなわち、前記背板２４の上端部は、前記天板２１の背面側端部の下面に形成される溝２１ｂに嵌め込まれ、下端部は、前記地板２２の背面側端部の上面に形成される溝２２ｂに嵌め込まれ、両側端部は、前記両側板２３，２３の背面側端部の内側面に形成される溝２３ａ，２３ａと、前記中仕切り板２５の前記両側板２３，２３に対向する両側面に形成される溝２５ｂとに嵌め込まれている。
【００２１】
なお、前記天板２１と、地板２２と、両側板２３，２３と、中仕切り板２５のそれぞれの厚みは、略等しくなるように形成されており、前記本体ボックス２０を正面から見た際の意匠の統一感を生み出すことができるようになっている。
さらに、例えば、このキャビネット１０と隣接する家具や、同一部屋内に設けられる家具の構成部材の厚みやサイズを略等しくなるように形成することで、部屋全体の外観性の向上を図れるので好ましい。
【００２２】
前記引戸装置３０は、前記天板２１の下面の正面部側端部に、該天板２１の長さ方向に沿って設けられる上レール３１と、前記地板２２の上面の正面部側端部に、該地板２２の長さ方向に沿って設けられる下レール３２と、これら上レール３１と下レール３２との間に、該上レール３１および下レール３２の長さ方向に沿ってスライドする引戸本体３３と、この引戸本体３３の前面部３３ａに前記本体ボックス２０の正面側端面よりも前方に位置するようにして取り付けられるとともに、この引戸本体３３よりも幅方向および高さ方向に広くなるように形成される化粧板材３４とを有する。
【００２３】
前記引戸本体３３は、矩形状に形成された板材であり、図４および図５に示すように、前記上レール３１と下レール３２とに対応する引戸金具３１ａ，３２ａをそれぞれ備えている。
前記引戸金具３１ａは、前記引戸本体３３の上端部の両端に設けられており、下方に向かって開口する上レール３１に差し込まれるとともに、この上レール３１の長さ方向に沿って摺動する振れ止め３１ｂと、前記引戸本体３３に固定される固定部３１ｃとを有している。
また、前記引戸金具３２ａは、前記引戸本体３３の下端部の両端に設けられており、下レール３２の長さ方向に沿って走行する戸車３２ｂと、前記引戸本体３３に固定される固定部３２ｃとを有している。
【００２４】
また、この引戸本体３３は、図２および図５に示すように、前記引戸本体３３は、この引戸本体３３の前面部３３ａが前記本体ボックス２０の正面側端面よりも前方に突出するようにして形成されており、この引戸本体３３の前面部３３ａに取り付けられる化粧板材３４を、前記本体ボックス２０の正面側端面よりも前方に位置するようにして確実に取り付けできるようになっている。
【００２５】
さらに、この引戸本体３３の幅方向の長さは、図２に示すように、一方の前記側板２３の内側面から、前記中仕切り板２５の、該一方の側板２３の内側面と対向する側面とは反対の側面までの長さと略等しくなるように設定されている。
このように引戸本体３３の幅方向の長さを設定するのは、例えば、前記引戸本体３３の幅方向の長さが、前記一方の側板２３の内側面から、前記中仕切り板２５の、該一方の側板２３の内側面と対向する側面までの長さよりも短い場合は、前記引戸本体３３をスライドさせて、前記本体ボックス２０の一方の端部まで移動させた際に、前記引戸本体３３の他方の側端部と前記中仕切り板２５の正面側端面２５ａとの間に、前記引戸本体３３および化粧板材３４によって閉塞された本体ボックス２０内部が見えてしまうような隙間が形成されてしまうので、これを防ぐためである。
【００２６】
また、前記中仕切り板２５の正面側端面２５ａは、前記上下のレール３１，３２に沿ってスライドする引戸本体３３の背面部３３ｂの通過位置よりも若干本体ボックス２０内部側に位置している。
つまり、引戸本体３３の背面部３３ｂと前記中仕切り板２５の正面側端面２５ａとの間には、若干の隙間が形成されていることになる。この隙間は、例えば該隙間から本体ボックス２０内部を見ようとしても見えず、かつ引戸本体３３が本体ボックス２０側に押されながら上下レール３１，３２に沿ってスライドしても、この引戸本体３３の背面部３３ｂと中仕切り板２５の正面側端面２５ａとが接触しない程度の大きさに設定されている。
【００２７】
前記化粧板材３４は、矩形状に形成された板材であり、上述のように前記引戸本体３３よりも幅方向および高さ方向に広くなるように形成されている。
すなわち、図２に示すように、この化粧板材３４の幅方向の長さは、前記引戸本体３３の一方の側端部が前記側板２３の内側面に近接した位置に設けられる際に、この化粧板材３４の一方の側端部が、前記側板２３の外側面に近接するように設定されている。他方の側端部も同じように設定されている。これにより、前記引戸装置３０によって前記本体ボックス２０の正面開口部２０ａの右半分または左半分を閉塞した時に、この化粧板材３４によって前記側板２３の正面側端面を略遮蔽できるようになっている。
【００２８】
また、図５に示すように、この化粧板材３４の上端面３４ａは、前記引戸本体３３の上端面よりも高い位置に、かつ前記天板２１の上面２１ａよりも低く位置になるように設定されており、下端面３４ｂは、前記引戸本体３３の下端面よりも低い位置に、かつ前記地板２２の下面２２ａと面一となるように設定されている。
なお、この化粧板材３４の大きさは、前記引戸本体３３よりも幅方向および高さ方向に広くなるように形成されていればよく、適宜変更可能である。
【００２９】
次に、以上のようなキャビネット１０を壁面１に取り付けてなるキャビネット１０の取付構造について説明する。
【００３０】
すなわち、図２および図６に示すように、前記本体ボックス２０の背面側に、前記壁面１に取り付けられた係止部材２に係止する固定部材２６が取り付けられており、前記本体ボックス２０が、前記固定部材２６を前記係止部材２に係止するようにして、前記壁面１に取り付けられている。
【００３１】
前記係止部材２は、図６に示すように、上端部に、前記壁面１から遠ざかるにつれて上方に向かって傾斜する傾斜面を有する長尺材である。
また、前記固定部材２６は、下端部に、前記背板２４から遠ざかるにつれて下方に向かって傾斜する傾斜面を有する長尺材である。
したがって、前記係止部材２の上端部と前記固定部材２６の下端部とが係合するように構成されていることになる。
【００３２】
また、前記固定部材２６は、前記側板２３に固定されている。さらに、本実施の形態では、前記本体ボックス２０は中仕切り板２５によって中央付近で仕切られており、これに応じて前記背板２４も２枚設けられているため、前記固定部材２６も前記両側板２３と中仕切り板２５との間に設けられる。したがって、２本の固定部材２６が前記本体ボックス２０の背面側に取り付けられることになる。
また、この固定部材２６は、前記背板２４の上端部近傍の高さ位置に設けられている。
【００３３】
また、この固定部材２６の厚みは、図６に示すように、前記背板２４の背面と、この背板２４の背面から前記本体ボックス２０の背面側端面までの寸法差分の厚みに設定されている。
【００３４】
さらに、前記背板２４の下端部近傍の高さ位置には、前記固定部材２６と同じく、前記背板２４の背面と、この背板２４の背面から前記本体ボックス２０の背面側端面までの寸法差分の厚みに設定された下地部材２７が設けられている。
この下地部材２７によれば、前記背板２４の下端部近傍の高さ位置に設けられることによって、前記背板２４の壁面１側への撓みを防ぐことができる。
また、この下地部材２７は、前記固定部材２６と同じく、前記両側板２３と中仕切り板２５との間に２本設けられている。
【００３５】
本実施の形態によれば、前記引戸装置３０は、前記上レール３１および下レール３２の長さ方向に沿ってスライドする引戸本体３３と、この引戸本体３３の前面部に前記本体ボックス２０の正面側端面よりも前方に位置するようにして取り付けられるとともに、この引戸本体３３よりも幅方向および高さ方向に広くなるように形成される化粧板材３４とを有するので、この化粧板材３４を前記本体ボックス２０の正面側端面よりも前方に取り付けた状態で、前記引戸本体３３をスライドさせて、前記本体ボックス２０の正面開口部２０ａを開閉することができる。
これによって、従来に比して、前記引戸本体３３をスライドさせるための上下レール３１，３２が目立つことを確実に防ぐことができるので、前記引戸装置３０の周囲の外観性を向上させることが可能となる。
【００３６】
また、前記引戸本体３３は、この引戸本体３３の前面部３３ａが前記本体ボックス２０の正面側端面よりも前方に突出するようにして形成されているので、この引戸本体３３の前面部３３ａに取り付けられる化粧板材３４を、前記本体ボックス２０の正面側端面よりも前方に位置するようにして確実に取り付けることができる。したがって、この化粧板材３４を、前記引戸本体３３よりも幅方向および高さ方向に広くなるように形成できるだけでなく、延いては、前記本体ボックス２０の正面側端面よりも幅方向および高さ方向に広くなるように形成することも可能となるので、所有者の要望に応じて、前記化粧板材３４を任意の大きさに設定することができる。
【００３７】
また、前記本体ボックス２０は、この本体ボックス２０内部の略中央に位置し、かつ前記両側板２３，２３と対向するようにして設けられる中仕切り板２５を備えているので、この中仕切り板２５によって前記本体ボックス２０内部を左右に仕切ることができる。
また、前記中仕切り板２５の正面側端面２５ａは、前記上下のレール３１，３２に沿ってスライドする引戸本体３３の背面部３３ｂの通過位置よりも若干本体ボックス２０内部側に位置しているので、前記中仕切り板２５によって前記引戸本体３３の移動を妨げることを確実に防ぐことができる。
【００３８】
また、前記引戸本体３３の幅方向の長さが、一方の前記側板２３の内側面から、前記中仕切り板２５の、該一方の側板２３の内側面と対向する側面とは反対の側面までの長さと略等しくなるように設定されているので、前記引戸本体３３を、この引戸本体３３の一方の側端部が前記一方の側板２３の内側面に近接する位置まで移動させた際に、前記引戸本体３３の他方の側端部は、前記中仕切り板２５の、一方の側板２３の内側面と対向する側面とは反対の側面に近接する位置に配置されることになる。
これによって、前記引戸本体３３をスライドさせて、前記本体ボックス２０の一方の端部まで移動させた際に、前記引戸本体３３の他方の側端部と前記中仕切り板２５とが重なり合うことになるので、前記引戸本体３３および化粧板材３４によって閉塞された本体ボックス２０の内部を、引戸本体３３の背面部３３ｂと中仕切り板２５との間の隙間から見えてしまうことを確実に防ぐことができる。
【００３９】
また、前記キャビネット１０の取付構造において、前記本体ボックス２０の背面側に、前記壁面１に取り付けられた係止部材２に係止する固定部材２６が取り付けられており、前記本体ボックス２０が、前記固定部材２６を前記係止部材２に係止するようにして、前記壁面１に取り付けられているので、前記本体ボックス２０を前記壁面１に確実に取り付けることができ、延いてはキャビネット１０を確実に壁面１に取り付けることができる。
また、このように前記引戸装置３０の周囲の外観性を向上させることが可能なキャビネット１０を前記壁面１に取り付けできるので、延いては前記壁面１の周囲の外観性を向上させることも可能となる。
さらに、前記キャビネット１０の壁面１への取付作業は、前記固定部材２６を前記係止部材２に係止するようにして行うだけで済むので、容易となる。
【符号の説明】
【００４０】
１０  キャビネット
２０  本体ボックス
２１  天板
２２  地板
２３  側板
２４  背板
３０  引戸装置
３１  上レール
３２  下レール
３３  引戸本体
３４  化粧板材
【図１】
2010264176.tif 000003
【図２】
2010264176.tif 000004
【図３】
2010264176.tif 000005
【図４】
2010264176.tif 000006
【図５】
2010264176.tif 000007
【図６】
2010264176.tif 000008